(57)【要約】アコースティック弦楽器のボディーに、サウンドボード、バックおよびサイドがあり、このサウンドボードにはレリーフカットがあり、このレリーフカットは、サウンドボードとサイドとの間により柔軟な結合構造を作り出すような特定の寸法に合わせられ、さらにこのレリーフカットによりサウンドボードがより自由に振動できるようになるため、楽器の音色が改善する。
2006501519.tif 000002
【特許請求の範囲】
【請求項１】
レリーフカットを有するサウンドボードと、
バックと、
前記サウンドボードおよび前記バックとに結合したサイドとを備えたアコースティック弦楽器のボディー。
【請求項２】
前記サウンドボードに内面があり、この内面上に前記レリーフカットがある請求項１に記載のアコースティック弦楽器のボディー。
【請求項３】
前記サウンドボードには外面があり、この外面上に前記レリーフカットがある請求項１に記載のアコースティック弦楽器のボディー。
【請求項４】
前記レリーフカットが、前記サウンドボードの外周から一様に均一な距離にある請求項２に記載のアコースティック弦楽器のボディー。
【請求項５】
前記レリーフカットが、前記サウンドボードの一部の周囲にだけ広がる請求項４に記載のアコースティック弦楽器のボディー。
【請求項６】
前記レリーフカットが、前記サウンドボードの周囲全体に広がる請求項４に記載のアコースティック弦楽器のボディー。
【請求項７】
前記レリーフカットは、半円形、長方形、楕円形、正方形および三角形のうちから選択された１種類の断面を有する請求項１に記載のアコースティック弦楽器のボディー。
【請求項８】
前記レリーフカットの断面積が均一である請求項１に記載のアコースティック弦楽器のボディー。
【請求項９】
前記レリーフカットの断面積が変化する請求項１に記載のアコースティック弦楽器のボディー。
【請求項１０】
前記バックにレリーフカットがある請求項１に記載のアコースティック弦楽器のボディー。
【請求項１１】
前記バックに内面があり、この内面上に前記レリーフカットがある請求項１０に記載のアコースティック弦楽器のボディー。
【請求項１２】
前記バックに外面があり、この外面上に前記レリーフカットがある請求項１０に記載のアコースティック弦楽器のボディー。
【請求項１３】
前記アコースティック弦楽器がギターである請求項１に記載のアコースティック弦楽器のボディー。
【請求項１４】
前記サウンドボードが木製である請求項１に記載のアコースティック弦楽器のボディー。
【請求項１５】
レリーフカットを有する楽器のサウンドボード。
【請求項１６】
前記サウンドボードには内面があり、この内面上に前記レリーフカットがある請求項１５に記載の楽器のサウンドボード。
【請求項１７】
前記サウンドボードに外面があり、この外面上に前記レリーフカットがある請求項１５に記載の楽器のサウンドボード。
【請求項１８】
前記レリーフカットは、前記サウンドボードの外周から一様に均一な距離にある請求項１６に記載の楽器のサウンドボード。
【請求項１９】
前記レリーフカットが、前記サウンドボードの一部の周囲にだけ広がる請求項１８に記載の楽器のサウンドボード。
【請求項２０】
前記レリーフカットが、前記サウンドボードの周囲全体に広がる請求項１８に記載の楽器のサウンドボード。
【請求項２１】
前記レリーフカットは、半円形、長方形、楕円形、正方形および三角形のうちから選択された１種類の断面を有する請求項１に記載の楽器のサウンドボード。
【請求項２２】
前記レリーフカットの断面積が均一である請求項１に記載の楽器のサウンドボード。
【請求項２３】
前記レリーフカットの断面積が変化する請求項１に記載の楽器のサウンドボード。
【請求項２４】
サウンドボードと、
レリーフカットを有するバックと、
前記サウンドボードおよび前記バックとに結合したサイドとを備えたアコースティック弦楽器のボディー。
【発明の詳細な説明】
【技術分野】
【０００１】
本発明は、楽器の胴（以下、「ボディー」という）を対象とし、より詳細には、アコースティック弦楽器のボディーを対象とする。
【背景技術】
【０００２】
ギター、ベース、バイオリン、チェロなどのボディーのようにアコースティック弦楽器のボディーは、サウンドボードと呼ぶ表板（または「トップ」）を備えている。このサウンドボードは、通常は木製であり、楽器が演奏されると振動する。芸術的に最も美しい音を備えた楽器を提供するために、楽器の側板（以下、「サイド」という）に対してサウンドボードがより振動できるように、通常、サウンドボードにはその周辺端部を薄くするためのテーパ加工またはフェザリング加工がなされている。しかしながら、サウンドボードにテーパ加工を施すのは難しく、時間のかかる作業であり、サウンドボードの端部に視覚的には明確ではないテーパ加工を施すためには、熟練した職人が、数時間にわたり手作業でやすりかけを行わなければならない。
【発明の開示】
【発明が解決しようとする課題】
【０００３】
従来のサウンドボードに関する１つの欠点は、高品質な楽器のサウンドボードにテーパ加工を施すために、ひどく高いコストを伴うことである。従来のサウンドボードに関するもう１つの欠点は、サウンドボードの材料として木を用いるということである。木製のサウンドボードは、湿度の高い条件下では膨張しやすく、外観と音質とに変化を生じる。さらに、乾燥した条件下では、木製のサウンドボードではクラックが生じる。
【０００４】
これらの欠点を鑑みると、良好な音質を得るためのテーパ加工をする必要がないアコースティック楽器のサウンドボードが必要である。また、湿度や温度レベルなどのような大気条件の変化に耐性があるように、頑丈に設計された木製のアコースティック楽器のサウンドボードも必要である。
【課題を解決するための手段】
【０００５】
本発明は、周囲にレリーフカットを備えたサウンドボードを有するアコースティック弦楽器のボディーを提供することにより、これら従来技術の欠点を大きく緩和するものである。このレリーフカットは、楽器のサウンドボードとサイドとの間をより柔軟に結合し、楽器の音色を改善する。
【０００６】
本発明の特徴は、サウンドボード、裏板（以下、「バック」という）およびサイドを有したアコースティック弦楽器のボディーであって、そのサウンドボードは、サウンドボードとサイドとの間をより柔軟に結合するためにレリーフカットを有し、それによってサウンドボードがより自由に振動できることで楽器の音色を改善することを特徴とする。
【０００７】
本発明のもう１つの特徴は、外面を備えたサウンドボードを有するアコースティック弦楽器のボディーであって、レリーフカットが外面上で、かつその外周近傍に位置することを特徴とする。
【０００８】
さらに本発明のもう１つの特徴は、内面を備えたサウンドボードを有するアコースティック弦楽器のボディーであって、レリーフカットが内面上で、かつその内周近傍に位置することを特徴とする。
【０００９】
本発明のさらにもう１つの特徴は、アコースティック弦楽器のボディーであって、半円形、長方形または三角形の断面を持つレリーフカットを備えたサウンドボードを有すことを特徴とする。
【００１０】
本発明のもう１つの特徴は、レリーフカットを備えたバックを有するアコースティック弦楽器のボディーであって、バックのレリーフカットにより、バックがより自由に振動できることで、楽器の音色を改善することを特徴とする。
【００１１】
本発明のさらにもう１つの特徴は、木製のサウンドボードを有するアコースティック弦楽器のボディーであって、サウンドボードのレリーフカットにより、木製のサウンドボードの、大気条件の変化による伸縮が可能となることを特徴とする。
【００１２】
本発明のこれらの特徴および利点は、以下に示す発明の詳細な説明を、添付図面とともに検討することにより明らかとなるであろう。なお、添付図面中の同一符号は、同一部分を示す。
【発明を実施するための最良の形態】
【００１３】
以下の説明は、ボディーにレリーフカットを有したアコースティック弦楽器に関する。このレリーフカットによって、ボディーはより自由に振動でき、それにより楽器の全体的な音色が改善される。本発明を説明するために用いた、本発明内容を含むアコースティック弦楽器はギターであるが、当業者には明らかなように、この楽器としては、ベース、チェロ、バイオリン、ビオラ、シタール、マンドリン、またはそれ以外のアコースティック弦楽器が含まれる。
【００１４】
ヘッド１５、ネック２５、弦３５、およびボディー２０を備えたギター１０を構成するアコースティック弦楽器１０を図１、２に示す。このギターのボディー２０は、従来のギターのように、徐々に内側に向けてくびれた腰部を備えた中空体形状の共鳴箱である。このギターのボディー２０には、サウンドホール６０、バック４０およびサイド５０とともにサウンドボード３０がある。弦３５は、ヘッド１５から、ネック２５に沿い、サウンドホール６０上を越え、サウンドボード３０に取付けられたブリッジ７０まで伸びている。図１、２で示す実施形態では、ギターのボディー２０は木製である。他の実施例では、このギターのボディー２０は、プラスチック、グラファイトまたはその他しかるべき材料からなってもよい。
【００１５】
サウンドボード３０とバック４０の振動は、楽器１０の音色に大きく影響する。一般に、サウンドボード３０とバック４０とがより自由に振動できればできるほど、楽器１０の音色はより大きく、かつより良くなる。従来のアコースティック弦楽器では、サウンドボードとサイドとの間でより自由な振動が可能なように、時には手作業によるやすりかけにより、楽器の厚みを徐々に薄くするテーパ加工が施されることがある。通常、この費用のかかる作業では、楽器の音色を改善するために、サウンドボードにその中心から周辺にかけてテーパ加工が施される。サウンドボードの表面は、平坦な外観であることが好ましいため、このテーパ加工は、面倒であり時間がかかる加工である。このため、テーパ加工あるいはフェザリング加工は、熟練した弦楽器製作者の手によってなされる必要がある。テーパ加工のミスによって、むらのあるテーパ形状を生じたり、クラックや割れの原因となる好ましくない部分を生じたりする。従来は、中心から周辺端部にかけての広い範囲にわたって徐々に薄くするテーパ加工を施すため、弦楽器製作者たちは慎重に表面のやすりかけを行っていた。
【００１６】
本発明によれば、時間を要する表面のテーパ加工に代わってレリーフカットを使用する。まず図１を見ると、サウンドボード３０の輪郭に沿った破線４５が、サウンドボード３０の外周の内側にある。この破線４５は、レリーフカット１００、１１０、１２０、１３０、１４０および１５０の一般的な位置を示し、これらレリーフカットは、楽器１０のサウンドボード３０、およびバック４０、あるいはそのいずれか一方にある。図３に示すように、ある実施形態では、レリーフカット１００は、サウンドボード３０の内面５５にある。このレリーフカット１００は、サイド５０に近接してブリッジ７０の周囲に広がるように、サウンドボード３０の形状に沿うことが好ましい。図１を見ると最もよく分かるように、破線４５、つまりレリーフカット１００は、ブリッジ７０周囲のサウンドボード３０部にあるが、サウンドホール６０の周囲にまでは広がっていない。しかし、図４に示すように、他の実施例では、破線４５は、ちょうどサイドの内側で、サウンドボード３０の周囲全体に広がる。これまではただ１つのレリーフカットを示し説明したが、楽器の強度および音質をさらに調整するために、複数のレリーフカットを同一表面に加えることも可能である。この複数のレリーフカットは、一様に、同様の同心形状であってもよいし、異なる形状と寸法であってもよい。
【００１７】
レリーフカット１００を備える１つの利点は、サウンドボード３０とサイド５０との間により柔軟な結合構造を形成することにある。サウンドボード３０とサイド５０との間の柔軟な結合構造によって、サウンドボード３０はより自由に振動でき、それによって楽器１０の音色は改善される。このレリーフカット１００を使用することで、サウンドボード３０に徐々に厚みの変化をつける作業の必要性を撤廃することができ、あるいは軽減することができる。
【００１８】
レリーフカット１００を備えるもう１つの利点は、湿度や温度などの大気条件の変化に耐性があるより頑丈なサウンドボード３０を作り出すことにある。レリーフカット１００部分でサウンドボード３０の厚みが薄くなることから、大気条件の変化による伸縮が可能となる。この弾力性の増加により、温度や湿度が極端に変化している間でも、レリーフカット１００は、サウンドボード３０のクラック発生を防ぐことができる。
【００１９】
図３で明らかなように、ある実施形態では、レリーフカット１００は均一な表面積を持つ半円形の断面構造をしているが、またある別の実施形態では、異なる振動の傾向、つまり異なる音色を得るために、レリーフカット１００の断面積は変化する。例えば、ブリッジ７０の周囲ではより深く、しかもサウンドホール６０に向かって徐々により浅くなるように機械加工してもよいし、あるいはその逆でもよい。
【００２０】
さらに図３を参照すると、ギターのボディー２０の内部にはカーフィング６５（切れ目を入れたライニング、以下、「ライニング」という）があり、サイド５０へのサウンドボード３０の接着面積を増やすためのものである。ライニング６５は、サイド５０へのバック４０の接着面積を増やすためにも用いられる。レリーフカット１００は、このライニング６５のすぐ内側に設けられることが好ましい。異なる音質を得るために、例えば、サウンドホール近傍などの他の位置にレリーフカットを設けてもよい。場合によっては、サイドとレリーフカットとの距離は、位置に応じて異なることも好ましいかもしれない。例えば、ボディーのくびれた腰部ではサイドにより近く、他の位置ではより遠くてもよいし、あるいはその逆でもよい。
【００２１】
図５で明らかなように、ある実施形態では、楽器１０のバック４０の内側７５にもレリーフカット１１０が備えられ、サウンドボード３０のレリーフカット１００と同様の方法で、ライニング６５のすぐ内側のバック４０に沿って広がっている。より優れた音質を備えた楽器を製作するためには、このバック４０のレリーフカット１１０により、バック４０とサイド５０との間により柔軟な結合構造を作り出すことが望ましい。このレリーフカット１１０は、均一な表面積を持つ半円形の断面を備える。当業者には明らかなように、レリーフカット１００の断面積は、本発明の範囲から逸脱することなく、他の音質を得るためにサウンドボード３０の外周に沿って変化してもよい。サウンドボードの場合と同様に、異なる音質を得るために、レリーフカットは、例えば中心部に近い位置を含め、他の位置に施されてもよい。場合によっては、サイドとレリーフカットとの距離は、位置に応じて異なることも好ましいかもしれない。例えば、ボディーのくびれた腰部ではサイドにより近く、他の位置ではより遠くてもよいし、あるいはその逆でもよい。
【００２２】
図６で明らかなように、ある実施形態では、サウンドボード３０の内側５５に長方形の断面を持つレリーフカット１２０があり、バック４０の内側７５には三角形の断面を持つレリーフカット１３０がある。当然ながら当業者には明らかなように、本発明の範囲から逸脱することなく、レリーフカット１００、１１０、１２０、１３０、１４０、１５０は他の形状でもよく、例えば、正方形、楕円形、またはそれ以外の形状でもよい。
【００２３】
またある実施形態では、図７で明らかなように、レリーフカット１４０はサウンドボード３０の外面８５にあり、かつバック４０の外面９５にもレリーフカット１５０がある。図１と図４に破線で示したように、このレリーフカット１４０、１５０は、サイド５０に近接して、それぞれサウンドボード３０およびバックの外周に沿って広がることが好ましい。またこのレリーフカット１４０、１５０は、それぞれサウンドボード３０およびバックの外周に沿い均一な面積を備えた半円形の断面を持つことが好ましい。
【００２４】
以上のように、改良された楽器のボディーが提供されたことは明らかである。本発明は、説明のために本詳細な説明項で示した実施形態以外でも実施可能であり、これに限定されるものでないことは当業者には明らかであろう。また、本発明は、以下の請求項によってのみ限定されるものである。本発明は、本詳細な説明項で論じたいくつかの特定の実施形態に相当する他の形態によっても実施できることが知られている。
【図面の簡単な説明】
【００２５】
図１は、本発明による組立て実施例の正面図である。
図２は、本発明による組立て実施例の側面図である。
図３は、図１の線１Ａ−１Ａに沿った断面図である。
図４は、本発明による組立て実施例の正面図である。
図５は、図１の線１Ａ−１Ａに沿った別の断面図である。
図６は、図１の線１Ａ−１Ａに沿った別の断面図である。
図７は、図１の線１Ａ−１Ａに沿った別の断面図である。
【図１】
2006501519.tif 000003
【図２】
2006501519.tif 000004
【図３】
2006501519.tif 000005
【図４】
2006501519.tif 000006
【図５】
2006501519.tif 000007
【図６】
2006501519.tif 000008
【図７】
2006501519.tif 000009
【手続補正書】
【提出日】平成16年11月5日(2004.11.5)
【手続補正１】
【補正対象書類名】特許請求の範囲
【補正対象項目名】全文
【補正方法】変更
【補正の内容】
【特許請求の範囲】
【請求項１】
レリーフカットを有するサウンドボードと、
バックと、
前記サウンドボードおよび前記バックとに結合したサイドとを備え、
前記サウンドボードには内面があり、この内面上に前記レリーフカットがあるアコースティック弦楽器のボディー。
【請求項２】
前記サウンドボードには、別のレリーフカットを有する外面がある請求項２に記載のアコースティック弦楽器のボディー。
【請求項３】
前記レリーフカットが、前記サウンドボードの外周から一様に均一な距離にある請求項２に記載のアコースティック弦楽器のボディー。
【請求項４】
前記レリーフカットが、前記サウンドボードの一部の周囲にだけ広がる請求項４に記載のアコースティック弦楽器のボディー。
【請求項５】
前記レリーフカットが、前記サウンドボードの周囲全体に広がる請求項４に記載のアコースティック弦楽器のボディー。
【請求項６】
前記レリーフカットは、半円形、長方形、楕円形、正方形および三角形のうちから選択された１種類の断面を有する請求項２に記載のアコースティック弦楽器のボディー。
【請求項７】
前記レリーフカットの断面積が均一である請求項２に記載のアコースティック弦楽器のボディー。
【請求項８】
レリーフカットを有するサウンドボードと、
バックと、
前記サウンドボードおよび前記バックとに結合したサイドとを備え、
前記レリーフカットの断面積が変化するアコースティック弦楽器のボディー。
【請求項９】
前記バックにレリーフカットがある請求項２に記載のアコースティック弦楽器のボディー。
【請求項１０】
サウンドボードと、
バックと、
前記サウンドボードおよび前記バックとに結合したサイドとを備え、
前記バックに内面があり、この内面上に前記レリーフカットがあるアコースティック弦楽器のボディー。
【請求項１１】
前記バックに外面があり、この外面上に前記レリーフカットがある請求項１０に記載のアコースティック弦楽器のボディー。
【請求項１２】
前記アコースティック弦楽器がギターである請求項２に記載のアコースティック弦楽器のボディー。
【請求項１３】
前記サウンドボードが木製である請求項１に記載のアコースティック弦楽器のボディー。
【請求項１４】
レリーフカットを有した楽器のサウンドボードであって、このサウンドボードには内面があり、この内面上に前記レリーフカットがある楽器のサウンドボード。
【請求項１５】
前記レリーフカットは、前記サウンドボードの外周から一様に均一な距離にある請求項１６に記載の楽器のサウンドボード。
【請求項１６】
前記レリーフカットが、前記サウンドボードの一部の周囲だけに広がる請求項１８に記載の楽器のサウンドボード。
【請求項１７】
前記レリーフカットが、前記サウンドボードの周囲全体に広がる請求項１８に記載の楽器のサウンドボード。
【請求項１８】
前記レリーフカットは、半円形、長方形、楕円形、正方形および三角形のうちから選択された１種類の断面を有する請求項１６に記載の楽器のサウンドボード。
【請求項１９】
前記レリーフカットの断面積が均一である請求項１６に記載の楽器のサウンドボード。
【請求項２０】
レリーフカットを有した楽器のサウンドボードであって、このレリーフカットの断面積が変化する楽器のサウンドボード。
【国際調査報告】
2006501519.tif 000010